(57)【要約】【課題】洗濯時にタブの内部に発生する異物が投入口を開閉するドアに残留することを防止する衣類処理装置を提供する。【解決手段】本発明は、水が貯蔵されるタブボディー、タブボディーの上部面を形成するタブカバー、タブカバーを貫通するように設けられる投入口、タブカバーに設けられ、タブボディーに水を供給する供給口、タブボディーの内部に回転可能に設けられて衣類を収容し、投入口に連通する開放面を有するドラム、投入口を開閉するドア、及び供給口に流入する水を前記ドアまたはドラムに噴射する噴射部を含む衣類処理装置に関する。【選択図】図１
2018518995.tif 000002
【特許請求の範囲】
【請求項１】
水が貯蔵されるタブボディーと、
前記タブボディーの上部面を形成するタブカバーと、
前記タブカバーを貫通するように設けられる投入口と、
前記タブカバーに設けられ、前記タブボディーに水を供給する供給口と、
前記タブボディーの内部に回転可能に設けられて衣類を収容し、前記投入口に連通する開放面を有するドラムと、
前記投入口を開閉するドアと、
前記供給口に流入する水を前記ドアまたはドラムの少なくとも１つに噴射する噴射部と、を含むことを特徴とする、衣類処理装置。
【請求項２】
前記噴射部は、
前記供給口を介して供給される水を前記投入口の方向に案内するチャンバーと、
前記チャンバーに流入した水を前記ドアに排出させるチャンバー排出口と、を含む、請求項１に記載の衣類処理装置。
【請求項３】
前記チャンバーは、
前記供給口の下部に位置する流入チャンバーと、
前記流入チャンバーに流入した水を前記チャンバー排出口に案内する連結チャンバーと、を含む、請求項２に記載の衣類処理装置。
【請求項４】
前記連結チャンバーの断面積は、前記流入チャンバーの断面積よりも小さい、請求項３に記載の衣類処理装置。
【請求項５】
前記チャンバー排出口の断面積は、前記連結チャンバーの断面積よりも小さい、請求項３に記載の衣類処理装置。
【請求項６】
前記ドアは、前記投入口の上部に位置し、
前記連結チャンバーは、前記チャンバー排出口から排出される水が前記ドアに供給され得るように傾斜する、請求項３に記載の衣類処理装置。
【請求項７】
前記ドアは、前記タブカバーに回転可能に結合されたフレーム、及び前記フレームに備えられる透明材質のウィンドウを含み、
前記連結チャンバーは、前記チャンバー排出口から排出される水が前記ウィンドウに供給され得るように傾斜する、請求項３に記載の衣類処理装置。
【請求項８】
前記流入チャンバーを貫通するように設けられて水を前記ドラムに噴射する流入チャンバー排出口をさらに含む、請求項３に記載の衣類処理装置。
【請求項９】
前記ドラムは、上部面に前記開放面が設けられる円筒形状のドラムボディーを含み、
前記流入チャンバー排出口は、前記ドラムボディーの底面及び円周面のうち少なくともいずれか１つに水を噴射する、請求項８に記載の衣類処理装置。
【請求項１０】
前記連結チャンバーを貫通するように設けられて水を前記ドラムに噴射する連結チャンバー排出口をさらに含む、請求項３に記載の衣類処理装置。
【請求項１１】
前記ドラムは、前記開放面が上部面に設けられる円筒形状のドラムボディーを含み、
多数の前記連結チャンバー排出口のうち少なくともいずれか１つは、前記ドラムボディーの円周面に水を噴射する、請求項１０に記載の衣類処理装置。
【請求項１２】
前記流入チャンバー及び前記連結チャンバーのうち少なくともいずれか１つに備えられ、前記チャンバーの内部の圧力が予め設定された基準圧力以上であると、前記チャンバーの内部の水を前記ドラムに排出させる圧力低減部をさらに含む、請求項３に記載の衣類処理装置。
【請求項１３】
前記ドラムを回転させる回転軸と、
前記ドラムの回転時に発生する遠心力によって前記タブカバーの方向に移動する水の少なくとも一部を前記ドアに噴射する洗浄部と、をさらに含む、請求項１に記載の衣類処理装置。
【請求項１４】
前記回転軸は、前記タブボディーの底面から前記投入口に向かう方向に備えられる、請求項１３に記載の衣類処理装置。
【請求項１５】
前記洗浄部は、前記タブカバーの縁部から前記投入口に向かって延びるガイダーを含む、請求項１４に記載の衣類処理装置。
【請求項１６】
前記洗浄部は、前記ガイダーによって供給される水を前記ドアが位置した方向に排出させる排出部をさらに含む、請求項１５に記載の衣類処理装置。
【請求項１７】
前記洗浄部は少なくとも２つ以上備えられ、多数の前記洗浄部のうち少なくとも２つは互いに対向して配置される、請求項１６に記載の衣類処理装置。
【請求項１８】
前記ガイダーは、
前記ドラムが時計方向に回転するとき、前記タブカバーに移動する水を前記排出部に案内する第１ガイダーと、
前記ドラムが反時計方向に回転するとき、前記タブカバーに移動する水を前記排出部に案内する第２ガイダーと、を含む、請求項１７に記載の衣類処理装置。
【請求項１９】
前記洗浄部は、前記タブカバーから前記ドラムの上部面に向かって突出する遮断壁をさらに含み、
前記排出部は、前記遮断壁を貫通するように設けられ、第１ガイダーを介して供給される水を排出させる第１排出部、及び前記遮断壁を貫通するように設けられ、前記第２ガイダーを介して供給される水を排出させる第２排出部を含む、請求項１８に記載の衣類処理装置。
【請求項２０】
前記第１排出部から排出される水の軌跡と、前記第２排出部から排出される水の軌跡とが互いに交差するように、前記第１排出部及び前記第２排出部は傾斜して備えられる、請求項１９に記載の衣類処理装置。
【請求項２１】
キャビネットと、
前記キャビネットから引き出し可能に設けられ、前記タブボディーが支持されるドロワーと、をさらに含む、請求項１乃至１９のいずれか一項に記載の衣類処理装置。
【請求項２２】
前記ドラムを回転させる回転軸をさらに含み、
前記ドアは、前記タブカバーに回転可能に結合されたフレーム、前記タブボディーの外部から前記タブボディーの内部を観察できるように前記フレームに備えられるウィンドウ、及び前記ドラムの回転時に発生する遠心力によって前記フレームの縁部に移動した水の少なくとも一部を前記ウィンドウに案内する洗浄ガイダーを含む、請求項１に記載の衣類処理装置。
【請求項２３】
前記投入口は、末端が前記ドラムに向かって凹状に折り曲げられており、
前記流入チャンバーの上部は、前記投入口の末端と接触して収容できるように、前記投入口の形状に対応して折り曲げられている、請求項３に記載の衣類処理装置。
【請求項２４】
前記流入チャンバー排出口は、前記流入チャンバーの下部の縁部及び前記流入チャンバーの下部の中央部に備えられている、請求項９に記載の衣類処理装置。
【請求項２５】
前記圧力低減部は、前記流入チャンバー及び前記連結チャンバーのいずれか１つを貫通するように設けられたチャンバー貫通孔と、
前記チャンバー貫通孔に設けられ、前記チャンバー貫通孔に加わる圧力が基準圧力以上であるときに、前記チャンバー貫通孔を開放する弾性体と、を備える、請求項１２に記載の衣類処理装置。
【請求項２６】
前記弾性体は、一端が前記流入チャンバーと連結され、他端は前記連結チャンバーと分離されている、請求項２５に記載の衣類処理装置。
【発明の詳細な説明】
【技術分野】
【０００１】
本発明は、衣類処理装置に関する。
【背景技術】
【０００２】
一般に、衣類処理装置は、衣類（洗濯対象物、乾燥対象物）を洗濯する装置、衣類を乾燥する装置、衣類の洗濯及び乾燥の両方を行うことができる装置を含む概念である。
【０００３】
従来の衣類処理装置は、装置の前方面に設けられた投入口を介して衣類を装置に投入するフロントローディング方式と、装置の上部面に設けられた投入口を介して衣類を装置に投入するトップローディング方式とに区分された。
【０００４】
トップローディング方式の衣類処理装置は、上部面に投入口が設けられたタブ、タブの内部に回転可能に設けられたドラム、及び投入口を開閉するドアを含むように構成される。
【０００５】
上述した構造を有する従来の衣類処理装置の中には、非常に少ない量の衣類のみを洗濯するために体積を最小化した衣類処理装置があり、体積を最小化した衣類処理装置は、投入口とドラムの上端との間隔が非常に狭いことが特徴である。
【０００６】
したがって、衣類の洗濯のためにドラムが回転するときにタブの内部に発生した異物が、ドアに残留するという問題があった。
【０００７】
すなわち、ドラムの回転時にタブの内部には水流が形成されるため、衣類の洗濯中に洗剤が溶解しながら発生した泡や衣類から排出された汚物は、洗濯が完了した後にドアやドラムなどに残留する可能性がある。
【０００８】
また、従来の衣類処理装置は、洗濯が完了したにもかかわらず、ドアの内側表面やドラムの円周面などに泡や汚物が残留する場合、使用者は、衣類の洗濯が完了していないものと錯覚したり、衣類処理装置の故障を疑うようになるという問題が発生することもある。
【０００９】
また、従来の衣類処理装置は、体積を最小化する必要がないので、タブが相対的に高く、タブの上部面まで洗浄水が貯蔵されないため、泡が発生しても、ドアに泡が付くことを考慮しなくてもよかった。
【００１０】
また、衣類の洗濯過程で発生した泡や異物がドアに残留し、洗濯が完了した衣類に再び付いてしまい、洗濯性能を低下させるという問題があった。
【００１１】
また、従来の衣類処理装置は、ドアの異物及び泡を除去するために別途の部品及び流路を備えなければならないという煩わしさがあった。
【００１２】
また、従来の衣類処理装置は、別途の流路に流れる洗浄水の圧力が過度になると、流路が破損してしまい、漏水が発生するか、または洗浄水が逆流するという問題があった。
【００１３】
また、従来の衣類処理装置は、ドラムの内部で生成される泡の発生を未然に防止することができないという問題があった。
【発明の概要】
【発明が解決しようとする課題】
【００１４】
本発明は、従来技術の欠点や制限事項により発生する問題を概ね解決する衣類処理装置を提供する。
【００１５】
本発明は、体積を最小化することにより発生し得るドアに異物及び泡が付くことを解決する衣類処理装置を提供することを解決しようとする課題とする。
【００１６】
本発明は、洗濯時にタブの内部に発生した異物が投入口を開閉するドアに残留することを防止できる衣類処理装置を提供することを解決しようとする課題とする。
【００１７】
また、本発明は、ドラムの回転時にタブに貯蔵された水に発生する遠心力を用いてドアを洗浄する衣類処理装置を提供することを解決しようとする課題とする。
【００１８】
また、本発明は、タブに水を給水する装置を用いてドアを洗浄する噴射部を備えた衣類処理装置を提供することを解決しようとする課題とする。
【００１９】
また、本発明は、洗濯が完了したときに衣類に泡や異物が再び付くことを防止する衣類処理装置を提供することを解決しようとする課題とする。
【００２０】
また、本発明は、洗濯が完了したときにドアの泡や異物が除去されるようにして、使用者が衣類処理装置の性能を疑わないようにする衣類処理装置を提供することを解決しようとする課題とする。
【００２１】
また、本発明は、ドアの異物及び泡を除去するための別途の流路を備えない衣類処理装置を提供することを解決しようとする課題とする。
【００２２】
また、本発明は、異物や泡を除去する装置の圧力が過度になると、これを選択的に排水することによって、漏水または洗浄水の逆流が発生しない衣類処理装置を提供することを解決しようとする課題とする。
【００２３】
また、本発明は、ドラムの内部で生成される泡の発生を未然に防止する衣類処理装置を提供することを解決しようとする課題とする。
【課題を解決するための手段】
【００２４】
追加の利点、目的及び特徴は、後述する明細書、明白な公知技術の一部分、慣習を通じて自明な部分から導出することができる。
【００２５】
その目的と他の利点は、明細書及び請求項だけでなく、図面によっても知ることができたり、認知することができる。
【００２６】
本発明は、上述した課題を解決するために、水が貯蔵されるタブボディー、前記タブボディーの上部面を形成するタブカバー、前記タブカバーを貫通するように設けられる投入口、前記タブカバーに設けられ、前記タブボディーに水を供給する供給口、前記タブボディーの内部に回転可能に設けられて衣類を収容し、前記投入口に連通する開放面を有するドラム、前記投入口を開閉するドア、及び前記供給口に流入する水を前記ドアまたはドラムに噴射する噴射部を含む衣類処理装置を提供する。
【００２７】
前記噴射部は、前記供給口を介して供給される水を前記投入口の方向に案内するチャンバー、及び前記チャンバーに流入した水を前記ドアに排出させるチャンバー排出口を含むことができる。
【００２８】
前記チャンバーは、前記供給口の下部に位置する流入チャンバー、及び前記流入チャンバーに流入した水を前記チャンバー排出口に案内する連結チャンバーを含むことができる。
【００２９】
前記連結チャンバーの断面積は、前記流入チャンバーの断面積よりも小さくてもよい。
【００３０】
前記チャンバー排出口の断面積は、前記連結チャンバーの断面積よりも小さくてもよい。
【００３１】
前記ドアは、前記投入口の上部に位置し、前記連結チャンバーは、前記チャンバー排出口から排出される水が前記ドアに供給され得るように傾斜して備えられてもよい。
【００３２】
前記ドアは、前記タブカバーに回転可能に結合されたフレーム、及び前記フレームに備えられる透明材質のウィンドウを含み、前記連結チャンバーは、前記チャンバー排出口から排出される水が前記ウィンドウに供給され得るように傾斜して備えられてもよい。
【００３３】
本発明は、前記流入チャンバーを貫通するように設けられて水を前記ドラムに噴射する流入チャンバー排出口をさらに含むことができる。
【００３４】
前記ドラムは、上部面に前記開放面が設けられる円筒形状のドラムボディーを含み、前記流入チャンバー排出口は、前記ドラムボディーの円周面に水を噴射するように設けられてもよい。
【００３５】
本発明は、前記連結チャンバーを貫通するように設けられて水を前記ドラムに噴射する連結チャンバー排出口をさらに含むことができる。
【００３６】
前記ドラムは、前記開放面が上部面に設けられる円筒形状のドラムボディーを含み、多数の前記連結チャンバー排出口のうち少なくともいずれか１つは、前記ドラムボディーの円周面に水を噴射するように設けられてもよい。
【００３７】
本発明は、前記流入チャンバー及び前記連結チャンバーのうち少なくともいずれか１つに備えられ、前記チャンバーの内部の圧力が予め設定された基準圧力以上であると、前記チャンバーの内部の水を前記ドラムに排出させる圧力低減部をさらに含むことができる。
【００３８】
本発明は、水が貯蔵されるタブボディー、前記タブボディーの上部面を形成するタブカバー、前記タブカバーを貫通するように設けられる投入口、前記タブボディーの内部に回転可能に設けられて衣類を収容し、前記投入口に連通する開放面を有するドラム、前記投入口を開閉するドア、前記ドラムを回転させる回転軸、及び前記ドラムの回転時に発生する遠心力によって前記タブカバーの方向に移動する水の少なくとも一部を前記ドアに噴射する洗浄部を含むことを特徴とする衣類処理装置を提供することができる。
【００３９】
前記回転軸は、前記タブボディーの底面から前記投入口に向かう方向に備えられてもよい。前記洗浄部は、前記タブカバーの縁部から前記投入口に向かって延びるガイダーを含むことができる。
【００４０】
前記洗浄部は、前記ガイダーによって供給される水を前記ドアが位置した方向に排出させる排出部を含むことができる。
【００４１】
前記洗浄部は、少なくとも２つ以上備えられ、多数の前記洗浄部のうち少なくとも２つは互いに対向して配置されてもよい。
【００４２】
前記ガイダーは、前記ドラムが時計方向に回転するとき、前記タブカバーに移動する水を前記排出部に案内する第１ガイダー、及び前記ドラムが反時計方向に回転するとき、前記タブカバーに移動する水を前記排出部に案内する第２ガイダーを含むことができる。
【００４３】
前記洗浄部は、前記タブカバーから前記ドラムの上部面に向かって突出する遮断壁をさらに含み、前記排出部は、前記遮断壁を貫通するように設けられ、前記第１ガイダーを介して供給される水を排出させる第１排出部、及び前記遮断壁を貫通するように設けられ、前記第２ガイダーを介して供給される水を排出させる第２排出部を含むことができる。
【００４４】
前記第１排出部から排出される水の軌跡と、前記第２排出部から排出される水の軌跡とが互いに交差するように、前記第１排出部及び前記第２排出部は傾斜して備えられてもよい。
【００４５】
本発明は、キャビネット、及び前記キャビネットから引き出し可能に設けられ、前記タブボディーが支持されるドロワーをさらに含むことができる。
【００４６】
本発明は、前記ドラムを回転させ、前記タブボディーの底面に対して直角をなすように備えられる回転軸をさらに含み、前記ドアは、前記タブカバーに回転可能に結合されたフレーム、前記タブボディーの外部から前記タブボディーの内部を観察できるように前記フレームに備えられるウィンドウ、及び前記ドラムの回転時に発生する遠心力によって前記フレームの縁部に移動する水の少なくとも一部を前記ウィンドウに案内する洗浄ガイダーを含むことができる。
【００４７】
本発明は、水が貯蔵されるタブボディー、前記タブボディーの上部面を形成するタブカバー、前記タブカバーを貫通するように設けられる投入口、前記タブカバーに設けられ、前記タブボディーに水を供給する供給口、前記タブボディーの内部に回転可能に設けられて衣類を収容し、前記投入口に連通する開放面を有するドラム、前記投入口を開閉するドア、前記ドラムを回転させ、前記タブボディーの底面に対して直角をなすように備えられる回転軸、及び前記ドラムの回転時に発生する遠心力によって前記タブカバーの方向に移動する水の少なくとも一部を前記ドアに噴射する洗浄部を含むことを特徴とする衣類処理装置。
【００４８】
本発明は、水が貯蔵されるタブボディー、前記タブボディーの上部面を形成するタブカバー、前記タブカバーを貫通するように設けられる投入口、前記タブカバーに設けられ、前記タブボディーに水を供給する供給口、前記タブボディーの内部に回転可能に設けられて衣類を収容し、前記投入口に連通する開放面を有するドラム、前記投入口を開閉するドア、及び前記ドラムを回転させ、前記タブボディーの底面に対して直角をなすように備えられる回転軸を含み、前記ドアは、前記タブカバーに回転可能に結合されたフレーム、前記タブボディーの外部から前記タブボディーの内部を観察できるように前記フレームに備えられるウィンドウ、及び前記ドラムの回転時に発生する遠心力によって前記フレームの縁部に移動した水の少なくとも一部を前記ウィンドウに案内する洗浄ガイダーを含む衣類処理装置を提供する。
【００４９】
本発明は、前記洗浄ガイダーが、前記ドラムが時計方向に回転するとき、前記ウィンドウに水を案内する第１洗浄ガイダー、及び前記ドラムが反時計方向に回転するとき、前記ウィンドウに水を案内する第２洗浄ガイダーをさらに含む衣類処理装置を提供することができる。
【００５０】
本発明は、前記投入口が、末端が前記ドラムに向かって凹状に折り曲げられており、前記流入チャンバーの上部は、前記投入口の末端と接触して収容できるように、前記投入口の形状に対応して折り曲げられている、衣類処理装置を提供することができる。
【００５１】
本発明は、前記流入チャンバー排出口が、前記流入チャンバーの下部の縁部及び前記流入チャンバーの下部の中央部に備えられていることを特徴とする衣類処理装置を提供することができる。
【００５２】
本発明は、前記圧力低減部が、前記流入チャンバー及び前記連結チャンバーのいずれか１つを貫通するように設けられたチャンバー貫通孔と、前記チャンバー貫通孔に設けられ、前記チャンバー貫通孔に加わる圧力が基準圧力以上であるときに、前記チャンバー貫通孔を開放する弾性体とを備えることを特徴とする衣類処理装置を提供することができる。
【００５３】
本発明は、前記弾性体が、一端は前記流入チャンバーと連結され、他端は前記連結チャンバーと分離されていることを特徴とする衣類処理装置を提供することができる。
【発明の効果】
【００５４】
本発明は、洗濯時にタブの内部に発生した異物が投入口を開閉するドアに残留することを防止できる衣類処理装置を提供する効果を図ることができる。
【００５５】
また、本発明は、ドラムの回転時にタブに貯蔵された水に発生する遠心力を用いてドアを洗浄する衣類処理装置を提供する効果を図ることができる。
【００５６】
また、本発明は、タブに水を給水する装置を用いてドアを洗浄する噴射部を備えた衣類処理装置を提供する効果を図ることができる。
【００５７】
また、本発明は、ドアの異物及び泡を除去することによって、洗濯が完了したときに使用者が衣類処理装置の性能を疑わないようにする衣類処理装置を提供する効果を図ることができる。
【００５８】
また、本発明は、ドアの異物及び泡を除去することによって、洗濯が完了した後に衣類に異物及び泡が再び付いて洗濯性能が低下することを防止する衣類処理装置を提供する効果を図ることができる。
【００５９】
また、本発明は、洗濯が完了したときに衣類に泡や異物が再び付くことを防止する衣類処理装置を提供する効果を図ることができる。
【００６０】
また、本発明は、洗濯が完了したときにドアの泡や異物が除去されるようにして、使用者が衣類処理装置の性能を疑わないようにする衣類処理装置を提供する効果を図ることができる。
【００６１】
また、本発明は、ドアの異物及び泡を除去するための別途の流路を備えない衣類処理装置を提供する効果を図ることができる。
【００６２】
また、本発明は、異物や泡を除去する装置の圧力が過度になると、これを選択的に排水することによって、漏水または洗浄水の逆流が発生しない衣類処理装置を提供する効果を図ることができる。
【００６３】
また、本発明は、ドラムの内部で生成される泡の発生を未然に防止する衣類処理装置を提供する効果を図ることができる。
【図面の簡単な説明】
【００６４】
【図１】本発明に係る衣類処理装置の一例を示す図である。
【図２】本発明に係る衣類処理装置の一例を示す図である。
【図３】ドロワー、タブ及びドラムの結合関係の一例を示す図である。
【図４】本発明に備えられた噴射部の一例を示す図である。
【図５】本発明に備えられた洗浄ガイダーの一例を示す図である。
【図６】本発明に備えられた噴射部の他の実施例を示す図である。
【図７】本発明に備えられた噴射部の他の実施例を示す図である。
【発明を実施するための形態】
【００６５】
以下では、添付の図面を参照して本発明の好ましい実施例を詳細に説明する。以下で記述する装置の構成や制御方法は、本発明の実施例を説明するためのものに過ぎず、本発明の権利範囲を限定するためのものではなく、明細書全般にわたって同一に使用された参照番号は同一の構成要素を示す。
【００６６】
図１及び図２に示したように、本発明に係る衣類処理装置１００は、キャビネット２、キャビネットから引き出し可能に設けられるドロワー３、ドロワーの内部に設けられ、水が貯蔵されるタブ４、及びタブの内部に回転可能に設けられ、衣類が貯蔵されるドラム５を含む。
【００６７】
キャビネット２は、衣類処理装置の外観を形成する手段であってもよく、単にドロワー３を収容するための空間であってもよい。いずれの場合でも、キャビネット２の前方面には、ドロワー３が挿入される開放面２１が設けられることが好ましい。
【００６８】
ドロワー３は、開放面２１を介してキャビネット２の内部に挿入されるドロワーボディー３１、ドロワーボディー３１の前方面に固定されて開放面２１を開閉するドロワーパネル３３、及びドロワーボディー３１の上部面を形成するドロワーカバー３５を含む。
【００６９】
ドロワーパネル３３は、ドロワーボディー３１の前方面に固定されるため、ドロワーボディー３１をキャビネット２から引き出すハンドルの役割も果たすことができる。
【００７０】
ドロワーパネル３３には、衣類処理装置１００の作動と関連する制御命令を入力し、及び衣類処理装置の作動と関連するメッセージを使用者に表示する、コントロールパネル３３１が備えられてもよい。
【００７１】
ドロワーボディー３１は、開放面２１を介してキャビネット２に挿入することができ、タブ４を収容する空間を提供することができれば、いかなる形状に設けられてもよく、図１は、内部が空いている六面体形状のドロワーボディー３１を一例として示したものである。
【００７２】
ドロワーカバー３５には、ドロワーボディー３１の内部を外部と連通させる第１貫通孔３５１及び第２貫通孔３５３が備えられる。第１貫通孔３５１は、衣類の出入りのために備えられ、第２貫通孔３５３は、衣類の洗濯に必要な水を供給するために備えられなければならず、詳細な説明は後述する。
【００７３】
図２に示したように、タブ４は、ドロワーボディー３１の内部に位置し、水が貯蔵されるタブボディー４１、及びタブボディー４１の上部面を形成するタブカバー４３を含む。タブボディー４１は、上部面が開放された円筒形状に設けることができ、タブボディー４１の内部には、水を加熱するヒーター４１１を備えることができる。
【００７４】
タブカバー４３は、タブボディー４１の内部をタブボディーの外部と連通させる投入口４３１、及びタブボディー４１の内部に水を流入させる供給口４３３を含むことができる。
【００７５】
投入口４３１は、ドロワーカバーに設けられた第１貫通孔３５１の下部に備えなければならず、供給口４３３は、ドロワーカバーの第２貫通孔３５３に連通するように備えることが好ましい。
【００７６】
投入口４３１は、タブボディー４１の内部に衣類を供給したり、タブボディー４１の内部の衣類をタブボディーの外部に取り出したりするための手段であって、投入口４３１はドア４５によって開閉される。
【００７７】
図３に示したように、ドア４５は、ヒンジ４５３を介してタブカバー４３に回転可能に結合されるフレーム４５１、フレームに備えられるウィンドウ４５５、及びフレーム４５１をタブカバー４３に着脱可能に結合させるドアハンドル４５７を含むことができる。ドロワー３がキャビネット２から引き出された場合、使用者がタブボディー４１の内部を確認できるように、ウィンドウ４５５は透明材質で形成されることが好ましい。
【００７８】
一方、投入口４３１を介してタブボディー４１の内部の水がタブボディー４１の外部に排出されることを防止するために、フレーム４５１及びタブカバー４３のいずれか一方には、ドア４５が投入口４３１を閉鎖したときにフレーム４５１と投入口４３１との間の空間を密閉させるシーリング部４５９がさらに備えられてもよい。
【００７９】
上述した構造を有するタブ４は、タブ支持部６を介してドロワーボディー３１に結合されており、タブ支持部６は、ドロワーボディー３１に設けられる第１支持部６１、タブボディー４１に設けられる第２支持部６３、及び第１支持部と第２支持部とを連結する連結部６５を備えることができる。
【００８０】
連結部６５は、第１支持部６１に着座する第１連結部６５１、第２支持部６３を支持する第２連結部６５３、及び第１連結部と第２連結部とを連結するバー（ｂａｒ）６５５を備えることができる。
【００８１】
第１連結部６５１は、第１支持部６１の内部に着座し、第１支持部６１の内部で運動できる形状に設けられ、第２連結部６５３は、第２支持部６３を支持し、第２支持部６３の内部で運動できる形状に設けられることが好ましい。
【００８２】
図２は、第１連結部６５１及び第２連結部６５３が球状に設けられた場合を一例として示したものであり、図３は、各支持部６１，６３に接触する面が半球状に設けられた連結部６５１，６５３を一例として示したものである。
【００８３】
一方、図２に示したように、バー６５５は、キャビネット２の底面に対して直角をなすように具備（キャビネットの高さ方向Ｚと平行に具備、ドロワーの底面に対して直角をなすように具備）されてもよい。
【００８４】
本発明は、少なくとも３つ以上のタブ支持部６が、タブボディー４１をドロワーボディー３１に結合させるように備えられ、バー６５５が、キャビネットの底面に対して直角をなすように備えられるため、バー６５５がＺ軸に対して所定角度傾斜して備えられる場合に比べて、タブカバー４３とドロワーカバー３５との間の間隔を広げることができる。
【００８５】
したがって、本発明に備えられたタブ支持部６は、タブボディー４１がドロワーボディー３１の内部で振動しても、タブカバー４３がドロワーカバー３５に衝突する可能性を最小化することができる。
【００８６】
一方、バー６５５がドロワーの底面に対して直角をなすように備えられる場合、第１支持部６１及び第２支持部６３のうち少なくともいずれか１つはドロワーボディー３１に着脱可能に備えられることが好ましい。
【００８７】
タブ支持部６が少なくとも３つ以上備えられ、第１支持部６１及び第２支持部６３がいずれもドロワーボディー３１から分離できないように備えられる場合、タブボディー４１をドロワーボディー３１に固定する作業者は、第２支持部６３が第１支持部６１に干渉しないようにドロワーボディー３１にタブボディー４１を挿入した後、第１連結部６５１を第１支持部６１に結合するために、第２支持部６３が第１支持部６１を通る垂直線上に位置するようにタブボディー４１を回転させなければならない。
【００８８】
ところが、タブ支持部のバー６５５がドロワーの底面に対して直角をなすように備えられる特徴は、タブボディー４１の外周面とドロワーボディー３１の内周面との間隔Ｓを最小化させ、衣類処理装置１００の体積を最小化することができる一方、上述した過程を通じて行われる第１連結部６５１と第１支持部６１の組立性を悪化させることがある。このような欠点は、第１支持部６１をドロワーボディー３１に着脱可能に備えることによって解決できる。
【００８９】
タブ４の内部に備えられるドラム５は、上部に開放面５３が設けられた円筒形状のドラムボディー５１として備えられてもよい。開放面５３は、投入口４３１の下部に位置するので、投入口４３１を介して供給される衣類は、開放面５３を通してドラムボディー５１に供給される。
【００９０】
一方、ドラムボディー５１の底面５７及び円周面５５には、ドラムボディー５１の内部をタブボディー４１と連通させる多数のドラム貫通孔５９が設けられていてもよい。
【００９１】
ドラムボディー５１は、駆動部によってタブボディー４１の内部で回転する。駆動部は、タブボディー４１の外部に位置し、タブボディーの底面に固定されるステータＭ１、ステータが提供する回転磁界（ｒｏｔａｔｉｎｇ  ｆｉｅｌｄ）によって回転するローターＭ２、及びタブボディー４１の底面を貫通するように設けられ、ドラムの底面５７とローターＭ３を連結する回転軸Ｍ３を備えることができる。この場合、回転軸Ｍ３は、タブボディー４１の底面に対して直角をなすように備えることができる。
【００９２】
上述した構造を有する衣類処理装置１００は、給水部７を介してタブ４に水を供給し、排水部８を介してタブ４に貯蔵された水をキャビネット２の外部に排出する。
【００９３】
図２に示したように、給水部７は、タブカバーに設けられた供給口４３３に連結された第１給水管７１、キャビネットの外部に位置した給水源に連結された第２給水管７３、及びタブカバー４３に固定されて第１給水管と第２給水管とを連結する連結管７５を備えることができる。
【００９４】
第１給水管７１は、ドロワーカバー３５に設けられた第２貫通孔３５３を介して供給口４３３と連結管７５とを連結し、タブ４の振動時に第１給水管７１が連結管７５から分離されることを防止するために波形管として備えられてもよい（図３参照）。
【００９５】
また、ドロワー３がキャビネット２から引き出されるとき、第２給水管７３が連結管７５から分離されることを防止するために、第２給水管７３もまた波形管として備えられてもよい。第２給水管７３は、制御部（図示せず）の制御を受ける給水弁７７によって開閉される。
【００９６】
ただし、図２に示したものとは異なり、給水部７は、キャビネットの外部に位置した給水源（図示せず）とタブカバーに設けられた供給口４３３とを連結する一つの給水管として備えられてもよい。この場合、給水管は、波形管として備えられることが好ましい。
【００９７】
排水部８は、ドロワーボディー３１に固定される排水ポンプ８１、タブボディー４１の内部の水を排水ポンプ８１に案内する第１排水管８３、及び排水ポンプ８１から排出される水をキャビネット２の外部に案内する第２排水管８５を備えることができる。この場合、第２排水管８５は波形管として備えられてもよい。
【００９８】
上述した構造を有する衣類処理装置１００は、ドラム５に衣類を投入し、タブ４に水と洗剤を供給した後、駆動部を介してドラム５を回転させることによって衣類を洗濯するようになる。
【００９９】
ドラム５の回転時にタブ４の内部には水流が形成されるため、衣類の洗濯中に洗剤が溶解しながら発生した泡や衣類から排出された汚物は、洗濯が完了した後にドア４５に残留する可能性がある。
【０１００】
洗濯が完了したにもかかわらず、ドア４５の内側表面に泡や汚物が残留する場合、使用者は、衣類の洗濯が完了していないものと錯覚したり、衣類処理装置１００の故障を疑うようになるという問題が発生することもある。
【０１０１】
このような問題を解決するために、本発明の衣類処理装置１００には、ドア４５に残留する異物（泡や汚物など）を除去する洗浄部９１及び噴射部９３のうち少なくともいずれか１つを含むことができる。
【０１０２】
図４に示したように、洗浄部９１は、ドラム５の回転時に発生する遠心力を用いてドア４５を洗浄する手段である。
【０１０３】
本発明に備えられたドラム５は、回転中心を形成する回転軸Ｍ３がタブボディーの底面に対して直角に形成されるため、ドラム５の回転時に、タブ４の内部の水は、遠心力によってタブボディー４１の円周面に沿って上昇した後、タブカバー４３に沿って投入口４３１の方向に移動する。本実施例に係る洗浄部９１は、遠心力によってタブカバー４３の方向に移動した水をドア４５が位置した方向に排出させることによって、ドア４５を洗浄する手段である。
【０１０４】
洗浄部９１は、タブカバー４３の縁部から投入口４３１に向かって延びるガイダー９１５と、タブカバー４３からドラム５の上部面に向かって突出する遮断壁９１１と、遮断壁を貫通するように設けられ、ガイダー９１５を介して供給される水をドア４５が位置した方向に排出させる排出部９１３とを備えることができる。
【０１０５】
遮断壁９１１は、投入口４３１全体を取り囲むように備えられてもよく、投入口４３１を断続的に取り囲むように備えられてもよい。遮断壁が投入口を断続的に取り囲むということは、投入口の縁部に沿って多数の遮断壁が互いに離隔して配置されることを意味する。
【０１０６】
図４（ｂ）は、遮断壁９１１が投入口４３１全体を取り囲むように備えられた場合を示したもので、この場合、遮断壁９１１は、投入口４３１の縁部からドラム５に向かって突出して備えられてもよい。
【０１０７】
一方、ドア４５がタブカバー４３の上部面に回転可能に結合されることによって、ドア４５の内側表面（水に接触するドアの一面）が排出部９１３よりも高い位置にある場合、排出部９１３は、ドア４５に向かって水が排出されるように所定角度傾斜して備えられることが好ましい。
【０１０８】
さらに、ドア４５に透明材質で形成されるウィンドウ４５５が備えられる場合、使用者は、ウィンドウ４５５を介して異物が残留しているか否かを確認するようになるため、排出部９１３は、ウィンドウ４５５へ水が排出されるように傾斜して備えられてもよい。
【０１０９】
ガイダー９１５は、ドラム５が時計方向に回転するとき、タブカバー４３の縁部に移動する水を排出部９１３に案内する第１ガイダー９１５ａと、ドラム５が反時計方向に回転するとき、タブカバー４３の縁部に移動する水を排出部９１３に案内する第２ガイダー９１５ｂとを備えることができる。
【０１１０】
排出部９１３が、遮断壁９１１を貫通する一つの孔として備えられる場合、各ガイダー９１５ａ，９１５ｂは、同じ排出部９１３に水を案内するようになる。しかし、排出部９１３が、遮断壁９１１を貫通するように設けられる第１排出部９１３ａ及び第２排出部９１３ｂを含む場合、第１ガイダー９１５ａは第１排出部９１３ａに水を案内し、第２ガイダー９１５ｂは第２排出部９１３ｂに水を案内することができる。
【０１１１】
第１ガイダー９１５ａに沿って移動する水の方向は、第２ガイダー９１５ｂに沿って移動する水の方向と反対方向であるため、本発明に備えられた洗浄部９１は、ドラム５の回転数が予め設定された基準回転数（遠心力によってタブボディーの内部の水がタブカバーまで上昇する回転数）以上である限り、ドラムの回転方向に関係なくドア４５を洗浄することができる。
【０１１２】
また、第１排出部９１３ａから排出される水の軌跡と、第２排出部９１３ｂから排出される水の軌跡とが互いに交差するように、各排出部９１３ａ，９１３ｂは所定角度傾斜して備えられてもよく、これを通じて、本発明は、洗浄部９１の洗浄範囲を拡大することができる。
【０１１３】
上述した構造を有する洗浄部９１は、投入口４３１の縁部に沿って多数個配置することができ、多数個の洗浄部９１は、投入口４３１を取り囲むように配置されることが好ましい。さらに、多数の洗浄部９１のうち少なくとも２つは互いに対向するように配置することができる。洗浄部９１の洗浄力を高めるためである。
【０１１４】
一方、ドア４５に残留する異物は、図５に示された洗浄ガイダー４５６を介して除去されることもできる。洗浄ガイダー４５６は、ウィンドウ４５５の縁部に備えることができる。ドラムの回転時に、タブの内部の水は、遠心力によってタブの底面からフレーム４５１の縁部に移動するだけでなく、フレームの縁部の周辺を回転することができ、ウィンドウの縁部に洗浄ガイダー４５６が備えられている場合、フレーム４５１の縁部に沿って回転する水はウィンドウ４５５の中心方向に案内（Ｗ１，Ｗ２）され得る。したがって、本発明は、洗浄ガイダー４５６を介して、ウィンドウに異物が残留する問題を防止することができる。
【０１１５】
ただし、洗浄領域を最大化するために、洗浄ガイダー４５６は、ドア４５の対称線（ｓｙｍｍｅｔｒｉｃａｌ  ｌｉｎｅ）Ｑを基準として互いに対称となる位置に設けられる第１洗浄ガイダー４５６ａ及び第２洗浄ガイダー４５６ｂを備えることができる（図５（ｂ）参照）。
【０１１６】
本発明は、洗浄部９１及び洗浄ガイダー４５６のいずれか１つのみを含むように構成されてもよく、洗浄部９１及び洗浄ガイダー４５６をいずれも含むように構成されてもよい。
【０１１７】
図６に示された噴射部９３は、タブ４に供給される水をドア４５及びドラム５のうち少なくともいずれか１つに噴射することによってドア４５を洗浄することが特徴であって、本実施例に係る噴射部９３は、タブカバーに備えられた供給口４３３に供給される水を投入口４３１の方向に案内するチャンバー９３１、及びチャンバー９３１に流入した水をドアに排出させるチャンバー排出口９３３を含む。
【０１１８】
チャンバーは、供給口４３３の下部に位置する流入チャンバー９３１ａ、及び流入チャンバーに流入した水をチャンバー排出口９３３に案内する連結チャンバー９３１ｂを含む。
【０１１９】
図７に示したように、流入チャンバー９３１ａには、供給口４３３に連結される連通孔９３１ｅが備えられ、チャンバー排出口９３３を介して排出される水の圧力を高めるために、連結チャンバー９３１ｂの断面積Ａ１は、流入チャンバー９３１ａの断面積よりも小さいことが好ましい。さらに、チャンバー排出口９３３の断面積Ａ２は、連結チャンバーの断面積Ａ１よりも小さく設けることができる。
【０１２０】
連結チャンバー９３１ｂは、チャンバー排出口９３３から噴射された水が投入口の上部に位置したドア４５に供給され得るように、所定角度傾斜して備えられてもよい。
【０１２１】
ただし、ドア４５にウィンドウ４５５が備えられた場合であれば、連結チャンバー９３１ｂは、チャンバー排出口９３３から噴射された水がウィンドウ４５５に供給され得る角度で傾斜して備えられることが好ましい。
【０１２２】
一方、流入チャンバー９３１ａは、流入チャンバーの内部の水の一部をドラム５に噴射する流入チャンバー排出口９３５をさらに含むことができる。
【０１２３】
流入チャンバー排出口９３５は、ドラムボディーの底面５７に向かって水を噴射するように備えられてもよく、ドラムボディーの円周面５５に向かって水を噴射するように備えられてもよい。
【０１２４】
流入チャンバー排出口９３５がドラムボディーの底面５７に向かって水を噴射するように備えられる場合、流入チャンバー排出口９３５は、洗濯中にドラム５の内部に水を噴射することによって、ドラム５の内部に発生した泡を沈める役割を果たすようになる。
【０１２５】
すなわち、制御部が、洗濯中に給水弁７７を制御してチャンバー９３１に水を供給すると、洗濯中にタブの内部に発生した泡を沈め、ドア４５に泡をはじめとする異物が残留することを防止できる。
【０１２６】
しかし、流入チャンバー排出口９３５がドラムボディーの円周面５５に向かって水を噴射するように備えられれば、流入チャンバー排出口９３５は、ドラムの円周面５５の洗浄するための手段となり得る。
【０１２７】
すなわち、洗濯が完了した後、制御部が、給水弁７７を制御してチャンバー９３１に水を供給する一方、ドラム５を回転させると、ドラムの表面に残留する異物は、流入チャンバー排出口９３５から排出される水によって洗浄される。
【０１２８】
さらに、連結チャンバー９３７にも、内部の水をドラム５に排出させる連結チャンバー排出口９３７がさらに備えられてもよい。
【０１２９】
連結チャンバー排出口９３７は、少なくとも２つ以上備えることができ、この場合、一方の連結チャンバー排出口９３７は、ドラムボディーの底面５７に向かって水を排出するように備えられ、他方の連結チャンバー排出口９３７は、ドラムボディーの円周面５５に向かって水を排出するように備えられてもよい。
【０１３０】
上述した構造を有する噴射部９３は、流入チャンバー排出口９３５及び連結チャンバー排出口９３７がドラム５の縁部でドラム５の回転中心に向かって配置されているので、ドラム５が回転する場合、ドラムの全領域に水を噴射することができ、ドラムの内部の泡を効果的に除去できる効果がある。
【０１３１】
一方、上述した構造を有する図６の噴射部９３は、給水部７を介して供給される水の水圧が高い場合（チャンバー９３の内部の圧力が高い場合）、チャンバー排出口９３３から排出される水によってドア４５が投入口４３１を開放する危険性がある。
【０１３２】
このような問題を解決するために、チャンバー９３には、チャンバーの内部の圧力が予め設定された基準圧力以上であると、チャンバー９３の内部の水をドラム５に排出させる圧力低減部９３１ｃをさらに含むことができる。
【０１３３】
圧力低減部９３１ｃは、流入チャンバー９３１ａ及び連結チャンバー９３１ｂのうち少なくともいずれか１つに備えることができ、図７は、圧力低減部９３１ｃが連結チャンバー９３１ｂに備えられた場合を一例として示したものである。
【０１３４】
圧力低減部９３１ｃは、連結チャンバー９３１ｂを貫通するように設けられたチャンバー貫通孔９３１ｄ、及びチャンバー貫通孔９３１ｄに設けられ、連結チャンバー９３１ｂの内部の圧力が基準圧力以上であるときにチャンバー貫通孔９３１ｄを開放する弾性体９３１ｆを備えることができる。
【０１３５】
本発明は、様々な形態に変形して実施可能であり、上述した実施例にその権利範囲が限定されるものではない。したがって、変形した実施例が本発明の特許請求の範囲の構成要素を含んでいる場合、本発明の権利範囲に属するものと解さねばならない。
【図１】
2018518995.tif 000003
【図２】
2018518995.tif 000004
【図３】
2018518995.tif 000005
【図４（ａ）】
2018518995.tif 000006
【図４（ｂ）】
2018518995.tif 000007
【図５（ａ）】
2018518995.tif 000008
【図５（ｂ）】
2018518995.tif 000009
【図６】
2018518995.tif 000010
【図７（ａ）】
2018518995.tif 000011
【図７（ｂ）】
2018518995.tif 000012
【国際調査報告】
2018518995.tif 000013
2018518995.tif 000014
2018518995.tif 000015